(57)【要約】【課題】クリップの向きを回転させて使用可能なクリップ構造及びクリップ構造組立方法に関する技術を提供する。【解決手段】略Ｕ字形をなすことによって形成される挟み込み部（１２）へ薄物たる被クリップ体（５０）を挟み込み可能なクリップ本体（１０）と、そのクリップ本体（１０）の開口（１１）側が弧を描くように回動可能及び回動停止可能であるように固定するクリップ固定体（２０）を備えたクリップ構造であり、クリップ固定体（２０）に対して、クリップ本体（１０）の回動軸方向にクリップ本体（１０）を付勢させる弾性体（３０）を設けることで、クリップ本体（１０）をクリップ固定体（２０）方向へ付勢させ、クリップ本体（１０）を回動及び回動停止を達成する。【選択図】　　図１
2004074446.tif 000002
【特許請求の範囲】
【請求項１】
略Ｕ字形をなすことによって形成される挟み込み部へ薄物たる被クリップ体を挟み込み可能なクリップ本体と、
クリップ被固定体と一体化され、また、前記クリップ本体の開口側が弧を描くように回動可能及び回動停止可能であるように固定するクリップ固定体とを備えたクリップ構造であって、
クリップ固定体に対して、クリップ本体の回動軸方向にクリップ本体を付勢させる弾性体を設けることで、クリップ本体をクリップ固定体方向へ付勢させたことを特徴とするクリップ構造。
【請求項２】
クリップ固定体は、クリップ被固定体と一体に成形されたことを特徴とする請求項１記載のクリップ構造。
【請求項３】
クリップ固定体は、クリップ被固定体とは別体に形成されたことを特徴とする請求項１記載のクリップ構造。
【請求項４】
クリップ固定体は、クリップ本体に対する回動停止位置を非連続であるように形成したことを特徴とする請求項１から請求項３までのいずれかに記載のクリップ構造。
【請求項５】
クリップ被固定体が筆記先端を有する筆記具である場合において、クリップ本体の開口側が筆記具の筆記先端側を向く位置を標準位置としたとき、クリップ本体はこの標準位置に対し、少なくとも９０度をなす位置及び−９０度をなす位置のうちのいずれか又はこれらの位置の両方において回動停止が可能であるように形成したことを特徴とする請求項１から請求項４までのいずれかに記載のクリップ構造。
【請求項６】
クリップ本体及びクリップ固定体には、何れか一方に凸部を、他方に前記凸部と嵌合する凹部を設けることによって回動及び回動停止を達成することとした請求項１から請求項５までのいずれかに記載のクリップ構造。
【請求項７】
クリップ本体には、フランジ部と、該フランジ部とクリップ本体とを結びフランジ部より径の小さい挿通軸とが形成され、
クリップ固定体には、前記フランジ部と挿通軸とを挿通させる挿通孔を形成し、
クリップ本体のフランジ部と挿通軸とを、クリップ固定体の挿通孔に挿通後、板バネを前記フランジ部とクリップ固定体との間に挿入して形成されることを特徴とする請求項１から請求項６までのいずれかに記載のクリップ構造。
【請求項８】
前記請求項１から請求項６までのいずれかに記載のクリップ構造を形成するクリップ構造組立方法であって、
クリップ本体には、フランジ部と、該フランジ部とクリップ本体とを結びフランジ部より径の小さい挿通軸とが形成され、
クリップ固定体には、前記フランジ部と挿通軸とを挿通させる挿通孔を形成し、
クリップ本体のフランジ部と挿通軸とを、クリップ固定体の挿通孔に挿通後、板バネを前記フランジ部とクリップ固定体との間に挿入したことを特徴とするクリップ構造組立方法。
【発明の詳細な説明】
【０００１】
【発明が属する技術分野】
本発明は、例えば筆記具において用いられるクリップ及びクリップの組立方法に関するものである。
【０００２】
【先行技術】
筆記具に備えられているクリップに関しては、従来から様々な技術が提供されている。例えば、実開昭５６−５６８４号に開示される「クリップの取り付け構造」は、万年筆において筆記していないキャップされた状態と、筆記する状態とにおいてクリップの位置を変えることができることを特徴とする。
【０００３】
【発明が解決しようとする課題】
筆記が行われていない状態においてクリップの向きを変えたい、特に筆記具の軸方向とクリップとの角度が９０度などになるように回転させて使用したいという要望が従来からあった。
上述は、筆記具に限られることではなく、クリップによって何かをクリッピングしたり、クリッピングすることによって何かへ固定したりする小物についても、要望されることであった。
ここで、請求項１から請求項８までに記載の発明の目的は、クリップの向きを回転させて使用可能なクリップ構造及びクリップ構造組立方法に関する技術を提供することである。
【０００４】
【課題を解決するための手段】
本発明は、上記した課題を解決するための手段を提供する。
【０００５】
（請求項１）
請求項１記載の発明は、略Ｕ字形をなすことによって形成される挟み込み部（１２）へ薄物たる被クリップ体（５０）を挟み込み可能なクリップ本体（１０）と、クリップ被固定体（４０）と一体化され、また、前記クリップ本体（１０）の開口（１１）側が弧を描くように回動可能及び回動停止可能であるように固定するクリップ固定体（２０）とを備えたクリップ構造であって、クリップ固定体（２０）に対して、クリップ本体（１０）の回動軸方向にクリップ本体（１０）を付勢させる弾性体（３０）を設けることで、クリップ本体（１０）をクリップ固定体（２０）方向へ付勢させたことを特徴とするクリップ構造に係る。
【０００６】
被クリップ体（５０）とは、本発明に係るクリップ構造を備えたものが固定される対象である。具体的には、胸ポケット、シート状の部材（たとえば、メモ用紙、クリアファイル、ノートブックの表紙）、などである。
【０００７】
本発明に係るクリップ構造は、胸ポケットに入るような小物などに対して備えられ、機能する。その「小物」とは、「クリップ被固定体（４０）」であり、具体的には、胸ポケットの縁などにクリッピングしておくようなもの、代表的には、筆記用具類（更に詳しくはボールペン、シャープペン、万年筆など、あるいは万年筆などのキャップ）、携帯電話、ネームプレートなどである。
弾性体としては、例えばコイルスプリング、板バネ、ゴム等の弾性を有するシート等が上げられる。最も好ましいのは板バネである。小スペースに設ける場合であっても反発力を十分に与えられるからである。また、コイルスプリングを用いた場合は、圧縮スプリングのみではなく、引っ張りスプリングも用いることができる。
なお、ここでいう「一体化」とは、クリップ固定体がクリップ被固定体とは別部材として形成されることで、クリップ固定体がクリップ被固定体へ固定可能に形成されている場合と、クリップ固定体がクリップ被固定体と始めから一体に成形される場合との両方を含む。
【０００８】
クリップ本体（１０）をクリップ固定体（２０）方向に対して付勢させているため、クリップ本体（１０）とクリップ固定体（２０）とが当接し、クリップ本体（１０）の開口（１１）側が弧を描くように回動可能及び回動停止可能であるように固定する。したがって、クリップ本体（１０）は、クリップ固定体（２０）に対して、開口（１１）側が弧を描くように回動させることができる。回動させた後に回動を停止させれば、開口（１１）の位置を適切な位置に移動させたうえで、被クリップ体（５０）を挟み込むことが可能となる。
【０００９】
（請求項２）
請求項２記載の発明は、請求項１記載のクリップ構造を限定したものであり、クリップ固定体（２０）は、クリップ被固定体（４０）と一体に成形されたクリップ構造に係る。
たとえば、クリップ固定体（２０）は、クリップ本体（１０）を介して被クリップ体（５０）へ固定されることを目的としたクリップ被固定体（４０）へ一体化させて形成したクリップ構造とすることができる。
【００１０】
クリップ固定体（２０）は、クリップ被固定体（４０）へ一体化させて形成しているので、クリップ本体（１０）を被クリップ体（５０）へ固定すれば、クリップ被固定体（４０）は、被クリップ体（５０）へ固定されることとなる。
【００１１】
（請求項３）
請求項３記載の発明は、請求項１記載のクリップ構造を限定したものであり、クリップ固定体（２０）は、クリップ被固定体（４０）とは別体に形成されたクリップ構造に係る。
たとえば、クリップ固定体（２０）は、クリップ本体（１０）を介して被クリップ体（５０）へ固定されることを目的としたクリップ被固定体（４０）とは別体にて形成するとともに、被クリップ体（５０）へ固定可能としたクリップ構造とすることができる。
【００１２】
クリップ固定体（２０）は、クリップ被固定体（４０）とは別体にて形成しているので、被クリップ体（５０）へ固定したいとするクリップ被固定体（４０）を選択することができる。
【００１３】
（請求項４）
請求項４記載の発明は、請求項１から請求項３までのいずれかに記載のクリップ構造を限定したものであり、クリップ固定体（２０）は、クリップ本体（１０）に対する回動停止位置を非連続であるように形成したクリップ構造に係る。
【００１４】
「回動停止位置が非連続である」とは、停止させることができる位置を所定箇所に予め定めてあり、当該所定箇所以外では停止させることができないようにしている。例えば、使用頻度の高い位置を予め停止位置とすることとして、使い勝手の向上を図る。
クリップ固定体（２０）は、クリップ本体（１０）に対する回動停止位置を非連続としたので、使用者は回動停止位置を選択すればよい。
【００１５】
（請求項５）
請求項５記載の発明は、請求項１から請求項４までのいずれかに記載のクリップ構造を限定したものであり、クリップ被固定体（４０）が筆記先端（６１）を有する筆記具である場合において、クリップ本体（１０）の開口（１１）側が筆記具の筆記先端（６１）側を向く位置を標準位置としたとき、クリップ本体（１０）はこの標準位置に対し、少なくとも９０度をなす位置及び−９０度をなす位置のうちのいずれか又はこれらの位置の両方において回動停止が可能であるように形成した請求項１から請求項４までのいずれかに記載のクリップ構造に係る。
ここで、前記標準位置に対する角度の表現については、正の数値は時計回り方向の角度を、また、負の数値は反時計回り方向の角度をそれぞれ意味する。
【００１６】
尚、標準位置に対し９０度から−９０度までの範囲などと特定角度までしか回動しないようにすることもできる。
本請求項に係るクリップ構造では、回動停止位置を限ったものである。最も使用頻度の高い回動停止位置としてまず標準位置を備えており、使い勝手がよい。また、回動させて使用するに際して、便利な回動停止角度として、標準位置に対して９０度及び／又は−９０度の回動が可能である。
例えば、被固定体（４０）が筆記具、被クリップ体（５０）がノートブックであったとすると、標準位置から９０度、クリップ本体（１０）をクリップ固定体（２０）に対して回転させてからノートブックへクリッピングすれば、筆記具がノートブックから突出する寸法を減らすことができる。
なお、例えば、被固定体（４０）が筆記具であり被クリップ体（５０）が衣服の襟元である場合、標準位置（Ｐ１）に対して４５、−４５、１３５度や−１３５度などの角度とすれば、固定しやすく、見た目にも落ち着いた感じになる。
【００１７】
（請求項６）
請求項６記載の発明は、請求項１から請求項５までのいずれかに記載のクリップ構造を限定したものであり、クリップ本体（１０）及びクリップ固定体（２０）には、何れか一方に凸部（１８）を、他方に前記凸部と嵌合する凹部（２３）を設けることによって回動及び回動停止を達成することとしたクリップ構造に係る。
【００１８】
尚、凸部（１８）と凹部（２３）との数は特に限定されない。凸部（１８）と凹部（２３）がそれぞれ複数設けられていてもよいし、それぞれ１つであってもよい。また、凸部（１８）と凹部（２３）は同数である必要はなく、例えば凸部（１８）が１つで凹部（２３）が複数であってもよい。
また、凸部（１８）や凹部（２３）は等角度で設けることもでき、四等配、六等配、八等配、十二等配などとしても良い。
このような構成にすることで、回動が停止する際には、凸部と凹部とが嵌合し十分に回動が停止できるようになる。
【００１９】
（請求項７）
請求項７記載の発明は、請求項１から請求項６までのいずれかに記載のクリップ構造を限定したものであり、クリップ本体には、フランジ部と、該フランジ部とクリップ本体とを結びフランジ部より径の小さい挿通軸とが形成され、クリップ固定体には、前記フランジ部と挿通軸とを挿通させる挿通孔を形成し、クリップ本体のフランジ部と挿通軸とを、クリップ固定体の挿通孔に挿通後、板バネを前記フランジ部とクリップ固定体との間に挿入して形成されるクリップ構造に係る。
（請求項８）
また、請求項８記載の発明は、請求項１から請求項６までのいずれかに記載のクリップ構造を形成するクリップ構造組立方法であって、クリップ本体（１０）には、フランジ部（１６）と、該フランジ部（１６）とクリップ本体（１０）とを結びフランジ部（１６）より径の小さい挿通軸（１７）とが形成され、クリップ固定体（２０）には、前記フランジ部（１６）と挿通軸（１７）とを挿通させる挿通孔（２２）を形成し、クリップ本体（１０）のフランジ部（１６）と挿通軸（１７）とを、クリップ固定体（２０）の挿通孔（２２）に挿通後、板バネ（３０）を前記フランジ部（１６）とクリップ固定体（２０）との間に挿入したことを特徴とするクリップ構造組立方法に係る。
【００２０】
コイルスプリング等を用いた場合、通常はコイルスプリングを設けた後にバネ受け等の組み付けが必要となり組立に手間を要する。本発明では、板バネ（３０）を挿入するだけで組立可能であるため組立が容易となる。
【００２１】
【発明の実施の形態】
以下、本発明を実施の形態及び図面に基づいて、更に詳しく説明する。ここで使用する図面は、図１乃至図８である。
【００２２】
（図１）
図１に示すのは、本発明の第一の実施の形態を示す縦断面図である。本実施形態におけるクリップ被固定体４０は、先軸４２と後軸４３とを相対的に回転させてリフィール６０の筆記先端６１を繰り出す回転繰り出し式の筆記具である。この筆記具４０は、先口４１、先軸４２、後軸４３、天冠部４４を備えて構成されている。
そして、後軸４３には、後軸４３の外径寸法を内径寸法とするリング形状をなすクリップ固定体２０が固定され、そのクリップ固定体２０を介してクリップ本体１０が固定される。
尚、以下前方とは筆記先端６１側といい、後方とは反筆記先端６１側をいう。
【００２３】
クリップ本体１０は、略Ｕ字形をなすことによって形成される挟み込み部１２へ薄物たる被クリップ体５０、例えば胸ポケット布地を挟み込み可能な部材である。具体的には、後軸４３に沿う固定片１３と、被クリップ体５０を挟み込むために開口１１を開閉する移動片１４とによって略Ｕ字形をなしている。また、クリップ本体１０の開口１１側が筆記先端６１側を向くように設けられている。尚、図３にも示すように挿通軸１７とフランジ部１６もクリップ本体１０の一部を構成している。
【００２４】
ここで、図１に図２〜図４も加え、クリップ本体１０に回動及び回動停止を行わせる具体的構成について説明する。
（図２）
図２（ａ）は、クリップ固定体２０の正面図、（ｂ）は（ａ）のＡ−Ａ線断面図を示している。
クリップ固定体２０の一側面には、クリップ支持箱２１が形成されている。該クリップ支持箱２１内には板バネ受入空間２１ａ、クリップ支持箱２１の外表面には、挿通孔２２、凹部２３、ストッパー部２７が形成されている。
詳細に説明すると、挿通孔２２の周囲に凹部２３が設けられており、この凹部２３は４５度ずつの均等等配に形成されている。凹部２３の両隣は凸状となっており、クリップ本体１０の回転時には、クリップ本体１０に設けられた凸部１８が、前記凹部２３から外れ凹部２３の両隣の凸状部分に乗り上げることになる。この際、クリップ本体１０の前後方向の動きを凹部２３の前後方向に設けられたストッパー部２７により規制する。尚、このストッパー部２７は前後のいずれか一方であってもよい。
【００２５】
更に、他の側面には紐用リング２９が形成されており、紐等を通すことでつり下げ式の筆記具とすることができる。更に、後方には収納部２６が形成されており、この部分に消しゴムが挿入される。また、クリップ固定体２０の内方には、後軸受入空間２１ｂが形成され、この空間内に後軸４３とのはめ合い部２４及びガイドピン２５が形成されている。後軸４３のはめ合い部は後軸４３とはめ合わされることで、後軸４３と固定されることになる。また、ガイドピン２５は後軸４３内に設けられた繰り出し機構７０に形成された穴に嵌入される。
【００２６】
（図３）
図３（ａ）は、クリップ本体の側面図、（ｂ）はクリップ本体の正面図を示している。
クリップ本体１０は、略Ｕ字形をなすことによって形成される挟み込み部１２へ薄物たる被クリップ体５０、例えば胸ポケット布地を挟み込み可能な部材である。具体的には、後軸４３に沿う固定片１３と、被クリップ体５０を挟み込むために開口１１を開閉する移動片１４とによって略Ｕ字形をなしている。
固定片１３の後方の外表面には、挿通軸１７が固定片１３とは直角に突出され形成されている。この挿通軸１７の端部には、フランジ部１６が形成されており、フランジ部１６の径は挿通軸１７の径よりも大きくなっている。更に、挿通軸１７の根本であって、固定片１３の外表面には、クリップ固定体２０に設けられた凹部２３とはまり合う凸部１８が形成されている。この凸部１８は、９０度ずつの円周等配で形成されている。
【００２７】
（図４）
図４（ａ）は、弾性体である板バネの正面図、（ｂ）は（ａ）のＣ−Ｃ線断面図を示している。
この板バネ３０は、その中心に一端が開放された開放部３５が形成された板バネスリット３１が形成されている。また、このスリットに沿って凹面３４と凸面３３が形成されている。凹面３４は凸面３３の両側に形成されている。更に、開放部３５とは反対位置に抜け止め部３２が形成されており、他の部材をこの抜け止め部３２近辺に配置すれば、抜け止め部３２を他の部材に当接させることができるようになるため、板バネ３０の抜けを防止することができる。本実施形態においては、図１に示すように後軸４３を当接させてある。
【００２８】
次に、組立方法について説明する。前述のようにクリップ本体１０には、フランジ部１６と、該フランジ部１６とクリップ本体１０とを結びフランジ部１６より径の小さい挿通軸１７とを形成されており、また、クリップ固定体２０には、フランジ部１６と挿通軸１７とを挿通させる挿通孔２２が形成されている。
まず、クリップ本体１０のフランジ部１６と挿通軸１７とを、クリップ固定体２０の挿通孔２２に挿通させる。その後、板バネ３０の凸面３３側をフランジ部１６側に向けながら板バネ３０をフランジ部１６とクリップ固定体２０との間に挿入する。この際、板バネ３０の板バネスリット３１の開放部３５側から挿通軸１７を、板バネスリット３１内に通す。このように組み立てることで図１のようなクリップ構造を有した筆記具が形成される。尚、板バネ３０の抜け止め部３２には、後軸４３が当接されており、板バネ３０が抜けることを防止してある。
【００２９】
クリップ本体１０の回転は、図２及び図３に示された回動軸（Ｂ−Ｂ線）周りに行われる。本実施形態では、クリップ本体１０の挿通軸１７の軸心が回動軸となっている。また、板バネ３０によるクリップ本体１０のクリップ固定体２０方向への付勢は回動軸（Ｂ−Ｂ線）方向に沿って行われている。付勢されることで、クリップ本体１０と、クリップ固定体２０とが当接される。該当接箇所には、前述の通り、凹部２３及び凸部１８が形成されている。
回転させる際には、クリップ本体１０に回転力を加えることで、クリップ本体１０に形成された凸部１８が、クリップ固定体２０に形成された凹部２３から外れ、自由に回転できるようになる。一定の角度回転すると、前記とは異なる凹部２３にはまり込みクリップの回転が停止される。
【００３０】
（図５）
図５は、クリップ本体１０を標準位置Ｐ１から−９０度回転させた状態を示した図であり、（ａ）は上面図、（ｂ）は正面図である。
標準位置Ｐ１から−９０度回転させた状態とした場合において、被クリップ体５０を縦方向に開き軸のある手帳の表紙とすれば、手帳から筆記具４０が突出する寸法を、通常のクリップ付き筆記具に比べて小さく抑えることができる。
【００３１】
（図６）
図６には、被クリップ体５０をノートブックとし、クリップ被固定体４０を筆記具とした場合を斜視図にて示している。ノートブックの表紙が比較的厚くてもクリッピングすることができるとともに、クリップ本体１０を９０度回転させれば邪魔にならない位置に固定することができ、筆記具４０及びノートブック５０が持ち運びなどにおいて一体化している。
【００３２】
（図７）
図７には、クリップ被固定体４０をネームプレートとした場合を斜視図にて示している。従来のネームプレートは、上着などの胸ポケットに装着することのみしか考えられておらず、胸ポケットのない服を着用していることの多い者（特に女性）は、襟元へ斜めに装着したりしていた。しかし、本実施形態によれば、クリップ本体１０をネームプレート４０に対して回転させることができるので、上記のような不具合はない。
【００３３】
（図８）
図８は、第２の実施形態を模式的に示した模式図である。本実施形態では、弾性体である板バネ３０の位置を第１の実施形態とは異なる位置に設けたものである。
本実施形態では、フランジ部１６とクリップ固定体２０との間に板バネ３０を設けず、クリップ本体１０の固定片１３とクリップ固定体２０との間に板バネ３０を設けてある。板バネ３０により、クリップ本体１０の一部であるフランジ部１６がクリップ固定体２０に当接することで、クリップ本体１０の開口１１側が弧を描くように回動可能及び回動停止可能となる。尚、フランジ部１６とクリップ固定体２０とが当接する箇所であって、いずれかに一方に凸部を他方に凹部を設けるこももちろん可能である。
【００３４】
【発明の効果】
請求項１から請求項８までに記載の発明によれば、クリップの向きを回転させて使用可能なクリップ構造に関する技術を提供することができる。
【図面の簡単な説明】
【図１】第１の実施の形態を示す縦断面図である。
【図２】第１の実施形態におけるクリップ固定体の正面図（ａ）、及び（ａ）のＡ−Ａ線断面図（ｂ）である。
【図３】第１の実施形態におけるクリップ本体の側面図（ａ）、及びクリップ本体の正面図（ｂ）である。
【図４】第１の実施形態における弾性体である板バネの正面図（ａ）、及び（ａ）のＣ−Ｃ線断面図（ｂ）である。
【図５】クリップ本体を標準位置から−９０度回転させた状態を示した図である。
【図６】被クリップ体をノートブックとした場合を示す斜視図である。
【図７】クリップ被固定体をネームプレートとした場合を示す組立斜視図である。
【図８】第２の実施形態の断面を模式的に示した模式図である。
【符号の説明】
１０　　クリップ本体
１１　　開口
１２　　挟み込み部
１３　　固定片
１４　　移動片
１６　　フランジ部
１７　　挿通軸
１８　　凸部
２０　　クリップ固定体
２１　　クリップ支持箱
２１ａ　板バネ受入空間
２１ｂ　後軸受入空間
２２　　挿通孔
２３　　凹部
２４　　後軸とのはめ合い部
２５　　ガイドピン
２６　　収納部
２７　　ストッパー部
２９　　紐用リング
３０　　弾性体（板バネ）
３１　　板バネスリット
３２　　抜け止め部
３３　　凸面
３４　　凹面
３５　　開放部
４０　　クリップ被固定体（筆記具、ネームプレート）
４１　　先口
４２　　先軸
４３　　後軸
４４　　天冠部
５０　　被クリップ体（ポケット、ノートブック）
６０　　リフィール
６１　　筆記先端
７０　　繰り出し機構
Ｐ１　　標準位置
Ｂ−Ｂ　　　回動軸
【図１】
2004074446.tif 000003
【図２】
2004074446.tif 000004
【図３】
2004074446.tif 000005
【図４】
2004074446.tif 000006
【図５】
2004074446.tif 000007
【図６】
2004074446.tif 000008
【図７】
2004074446.tif 000009
【図８】
2004074446.tif 000010